(57)【要約】  【課題】  送信用テレビジョン信号の検波出力値が種々の原因で変動しても、正確な送信用テレビジョン信号の送信出力レベルを表示できるテレビジョン信号送信機を提供する。  【解決手段】  複数の周波数帯域の送信用テレビジョン信号を形成する信号形成回路１及び信号送信回路２と、信号送信回路２と信号出力端子４間に接続された信号分岐回路３と、信号分岐回路で分岐された送信用テレビジョン信号を検波する検波回路５と、検波回路５の検波出力値を用いて送信出力レベルを表示するレベル表示器７を備え、検波出力値から送信出力レベルを得る際に、複数の周波数帯域毎に、検波出力値、周波数、近似曲線の傾き、換算信号係数を含んだそれぞれの周波数帯域に適した換算式を予め設定し、設定した換算式によって変換補償した送信出力レベルを得る。  【選択図】  図１
2005123963.tif 000002
【特許請求の範囲】
【請求項１】
複数の周波数帯域のテレビジョン信号を形成する信号形成回路と、前記信号形成回路で形成したテレビジョン信号を送信用テレビジョン信号に変換する信号送信回路と、前記信号送信回路で得られた送信用テレビジョン信号を出力する信号出力端子と、前記信号送信回路と前記信号出力端子との間に接続された信号分岐回路と、前記信号分岐回路から分岐された送信用テレビジョン信号を検波する検波回路と、前記検波回路の検波出力値を用いて送信用テレビジョン信号の送信出力レベルを表示するレベル表示器とを備え、前記検波出力値に基づいて表示する送信用テレビジョン信号の送信出力レベルを得る際に、前記複数の周波数帯域毎に、検波出力値、周波数、近似曲線の傾き、換算信号係数を含んだそれぞれの周波数帯域に適した換算式を予め設定し、設定した換算式によって変換補償した送信出力レベルを得ていることを特徴とするテレビジョン信号送信機。
【請求項２】
前記近似曲線の傾きは、それぞれ前記複数の周波数帯域毎の周波数対検波出力値を表す近似曲線の傾き、及び、前記複数の周波数帯域毎のそれぞれの周波数における送信出力レベル対検波出力値を表す近似曲線の傾きを表すものであり、前記換算信号係数は、前記複数の周波数帯域毎に、バラツキの小さい周波数を選択し、選択した周波数における検波電圧値と平均検波電圧値との差を表すものであることを特徴とする請求項１に記載のテレビジョン信号送信機。
【発明の詳細な説明】
【技術分野】
【０００１】
本発明は、送信用テレビジョン信号の送信出力レベルを表示する表示機能を備えたテレビジョン信号送信機に係り、特に、複数の周波数帯域の送信用テレビジョン信号の送信出力レベルを得て表示する際に、送信用テレビジョン信号の検波電圧値を複数の周波数帯域毎にそれぞれ異なる換算式を使用して正確な送信用テレビジョン信号の送信出力レベルを得るようにしたテレビジョン信号送信機に関する。
【背景技術】
【０００２】
一般に、テレビジョン信号送信機においては、送信用テレビジョン信号の送信出力レベルを表示する表示手段を備えており、かかる表示手段としてその１つに送信用テレビジョン信号を検波した検波出力値を用いて表示するものがある。この種の表示手段は、送信用テレビジョン信号の一部を抽出し、抽出した送信用テレビジョン信号を検波し、得られた検波出力値（検波電圧値）に基づいて送信用テレビジョン信号の送信出力レベルを表示するものである。
【０００３】
ところで、送信用テレビジョン信号の検波出力値を用いてその送信出力レベルを表示する表示手段は、通常、検波出力値が送信用テレビジョン信号の周波数が高くなるに従って順次増大する傾向を有しているため、単純に検波出力値を用いて送信用テレビジョン信号の送信出力レベルを表示した場合、実質的な送信用テレビジョン信号の送信出力レベルが同じであっても、送信用テレビジョン信号の周波数が高くなればなるほど表示される送信出力レベルが大きくなってしまう。
【０００４】
このため、送信用テレビジョン信号の検波出力値を用いてその送信出力レベルを表示する表示手段においては、得られた検波出力値を換算式を用いて送信用テレビジョン信号の周波数の高さに対応した変換を行い、その変換した検波出力値を用いて送信用テレビジョン信号の送信出力レベルを表示するようにしているもので、このような送信用テレビジョン信号の検波出力値を用いてその送信出力レベルを表示する表示手段を用いれば、一応、送信用テレビジョン信号の周波数に依存しない送信用テレビジョン信号の送信出力レベルを表示することができる。そして、送信用テレビジョン信号の検波出力値を用いてその送信出力レベルを表示する表示手段の一例としては、特開平１１−３４１５２３号公報に開示された監視回路を備えるテレビ再送信装置がある。
【０００５】
しかるに、送信用テレビジョン信号の検波出力値を用いて送信出力レベルを表示する表示手段においては、送信用テレビジョン信号の検波出力値と送信用テレビジョン信号の周波数との間に送信出力レベルについての相関関係があるだけでなく、送信用テレビジョン信号の各周波数において送信用テレビジョン信号の検波出力値と送信用テレビジョン信号の送信出力レベルとの間にも相関関係がある。このため、送信用テレビジョン信号の検波出力値と送信用テレビジョン信号の周波数との間にある送信出力レベルについての相関関係を、前記換算式を用いて変換補償しただけでは十分でなく、送信用テレビジョン信号の各周波数において送信用テレビジョン信号の検波出力値と送信用テレビジョン信号の出力レベルとの間に存在する相関関係によって、正確な送信用テレビジョン信号の送信出力レベルを表示することが難しいものである。
【特許文献１】特開平１１−３４１５２３号公報
【発明の開示】
【発明が解決しようとする課題】
【０００６】
本発明は、このような技術的背景に鑑みてなされたもので、その目的は、送信用テレビジョン信号の検波出力値が種々の原因で変動したとしても、正確な送信用テレビジョン信号の送信出力レベルを表示することが可能なテレビジョン信号送信機を提供することにある。
【課題を解決するための手段】
【０００７】
前記目的を達成するために、本発明によるテレビジョン信号送信機は、複数の周波数帯域のテレビジョン信号を形成する信号形成回路と、信号形成回路で形成したテレビジョン信号を送信用テレビジョン信号に変換する信号送信回路と、信号送信回路で得られた送信用テレビジョン信号を出力する信号出力端子と、信号送信回路と信号出力端子との間に接続された信号分岐回路と、信号分岐回路から分岐された送信用テレビジョン信号を検波する検波回路と、検波回路の検波出力値を用いて送信用テレビジョン信号の送信出力レベルを表示するレベル表示器とを備え、検波出力値に基づいて表示する送信用テレビジョン信号の送信出力レベルを得る際に、複数の周波数帯域毎に、検波出力値、周波数、近似曲線の傾き、換算信号係数を含んだそれぞれの周波数帯域に適した換算式を予め設定し、設定した換算式によって変換補償した送信出力レベルを得ている手段を備える。
【０００８】
前記手段において、近似曲線の傾きは、それぞれ複数の周波数帯域毎の周波数対検波出力値を表す近似曲線の傾き、及び、前記複数の周波数帯域毎のそれぞれの周波数における送信出力レベル対検波出力値を表す近似曲線の傾きを表すものであり、換算信号係数は、複数の周波数帯域毎に、バラツキの小さい周波数を選択し、選択した周波数における検波電圧値と平均検波電圧値との差を表すものである。
【発明の効果】
【０００９】
本発明によれば、テレビジョン信号送信機において、送信用テレビジョン信号を検波し、検波した検波出力値を用いて送信出力レベルを表示する際に、送信用テレビジョン信号の複数の周波数帯域毎に、検波出力値複数の周波数帯域毎に、検波出力値、周波数、近似曲線の傾き、換算信号係数を含んだそれぞれの周波数帯域に適した換算式を予め設定し、設定した換算式によって検波出力値を変換補償した送信出力レベルを得て、その送信出力レベルを表示するようにしているので、送信用テレビジョン信号の検波出力値に対する前述のような種々の変動があったとしても、常時、正確な送信用テレビジョン信号の送信出力レベルを表示することができるという効果がある。
【発明を実施するための最良の形態】
【００１０】
本発明によるテレビジョン信号送信機において、その発明を実施するための最良の形態は、複数の周波数帯域のテレビジョン信号を形成する信号形成回路と、信号形成回路で形成したテレビジョン信号を送信用テレビジョン信号に変換する信号送信回路と、信号送信回路で得られた送信用テレビジョン信号を出力する信号出力端子と、信号送信回路と信号出力端子との間に接続された信号分岐回路と、信号分岐回路から分岐された送信用テレビジョン信号を検波する検波回路と、検波回路の検波出力値を用いて送信用テレビジョン信号の送信出力レベルを表示するレベル表示器とを備え、検波出力値に基づいて表示する送信用テレビジョン信号の送信出力レベルを得る際に、複数の周波数帯域毎に、検波出力値、周波数、近似曲線の傾き、換算信号係数を含んだそれぞれの周波数帯域に適した換算式を予め設定し、設定した換算式によって変換補償した送信出力レベルを得ているものであり、その場合に、近似曲線の傾きは、それぞれ複数の周波数帯域毎の周波数対検波出力値を表す近似曲線の傾き、及び、前記複数の周波数帯域毎のそれぞれの周波数における送信出力レベル対検波出力値を表す近似曲線の傾きを表すものであり、換算信号係数は、複数の周波数帯域毎に、バラツキの小さい周波数を選択し、選択した周波数における検波電圧値と平均検波電圧値との差を表すものである。
【実施例】
【００１１】
以下、本発明の実施例を図面を参照して説明する。
【００１２】
図１は、本発明によるテレビジョン信号送信機の１つの実施例を示すもので、その要部構成を示すブロック図である。
【００１３】
図１に示されるように、本実施例によるテレビジョン信号送信機は、複数の周波数帯域を備えたテレビジョン信号を形成する信号形成回路１と、信号形成回路１で形成されたテレビジョン信号をそれぞれ周波数変換して送信用テレビジョン信号を形成する信号送信回路２と、信号送信回路２で形成された送信用テレビジョン信号を分岐し、分岐した２つの送信用テレビジョン信号の中の一方を一方の信号出力端から出力するとともに、他方を他方の信号出力端から出力する信号分岐回路３と、信号分岐回路３の一方の信号出力端から出力された大部分の送信用テレビジョン信号が供給される信号出力端子４と、信号分岐回路３の他方の信号出力端から出力された一部分の送信用テレビジョン信号を検波して検波出力値を出力する検波回路５と、検波回路５から出力された検波出力値を後述する換算式を用いて変換補償して補償検波出力値を出力する検波出力補償回路６と、検波出力補償回路６から出力された補償検波出力値を送信用テレビジョン信号の送信出力レベルとして表示するレベル表示器７と、テレビジョン信号送信機の各部を統括制御する制御部８とからなっている。
【００１４】
そして、このテレビジョン信号送信機において、信号形成回路１は、出力端が信号送信回路２の入力端に接続され、制御端が制御部８の第１制御出力端に接続される。信号送信回路２は、出力端が信号分岐回路３の信号入力端に接続され、制御端が制御部８の第２制御出力端に接続される。信号分岐回路３は、一方の信号出力端が信号出力端子４に接続され、他方の信号出力端が検波回路５の入力端に接続される。検波回路５は、出力端が検波出力補償回路６の入力端に接続される。検波出力補償回路６は、出力端がレベル表示器７の入力端に接続され、制御端が制御部８の第３制御出力端に接続される。
【００１５】
本実施例において、信号形成回路１及び信号送信回路２は、送信用テレビジョン信号として３つの周波数帯域を設定しているもので、第１の周波数帯域として周波数４７ＭＨｚ−１８０ＭＨｚの範囲の送信用テレビジョン信号が、第２の周波数帯域として周波数１８０ＭＨｚ−５４０ＭＨｚの範囲の送信用テレビジョン信号が、第３の周波数帯域として周波数５４０ＭＨｚ−８７０ＭＨｚの範囲の送信用テレビジョン信号がそれぞれ割り当てられる。
【００１６】
また、検波出力補償回路６は、送信用テレビジョン信号の検波出力値を変換補償して補償検波出力値を形成する際に、第１乃至第３の周波数帯域毎に、後述するようにそれぞれ異なる第１乃至第３の換算式を選択的に使用している。すなわち、送信用テレビジョン信号が第１の周波数帯域に属する信号である場合、第１の換算式が選択的に使用され、送信用テレビジョン信号が第２の周波数帯域に属する信号である場合、第２の換算式が選択的に使用され、送信用テレビジョン信号が第３の周波数帯域に属する信号である場合、第３の換算式が選択的に使用され、それにより送信用テレビジョン信号の検波出力値を補償検波出力値に変換している。変換した補償検波出力値は、送信出力レベルとしてレベル表示器７に供給され、レベル表示器７で送信出力レベルの表示が行われる。
【００１７】
この場合、信号形成回路１及び信号送信回路２における送信用テレビジョン信号の形成、及び、検波出力補償回路６における送信用テレビジョン信号の検波出力値の変換補償は、いずれも制御部８の制御によって行われる。
【００１８】
ところで、本実施例のテレビジョン信号送信機の検波出力補償回路６において使用される第１の換算式（１）、第２の換算式（２）、第３の換算式（３）は、送信用テレビジョン信号の周波数をＦSIG（ＭＨｚ）、検波出力値をＶDET（ｍＶ）とした場合、それぞれ次のようになる。
【００１９】
60−｛（0.15641×ＦSIG＋1560.0513）−ＶDET｝／39.3091…  …（１）
60−｛（0.04857×ＦSIG＋1575.715）−ＶDET｝／39.3145…  …  （２）
60−｛（0.14747×ＦSIG＋1524.4168）−ＶDET｝／38.47…  …  （３）
これらの換算式（１）乃至（３）における各項が表す意味について述べると、１番目の項は、初期調整時に通常６０ｄＢｍ（Ｖ）が出力されたときの検波出力値を調整していること及び４番目の項の係数算出時に６０ｄＢｍ（Ｖ）が出力されたときの検波出力値を使用していることから、換算式（１）乃至（３）のいずれも６０に設定している。２番目の項は、第１乃至第３の周波数帯域のそれぞれで実測した送信用テレビジョン信号の周波数対検波出力値を表す第１近似曲線の傾き（ｍＶ／ＭＨｚ）を示すもので、換算式（１）は０．１５６４１に、換算式（２）は０．０４８５７に、換算式（３）は０．１４７４７にそれぞれ設定している。３番目の項は、送信用テレビジョン信号の周波数ＦSIG（ＭＨｚ）を設定している。４番目の項は、第１乃至第３の周波数帯域のそれぞれで実測した送信用テレビジョン信号の検波出力値の中で最もバラツキが小さい送信用テレビジョン信号の周波数ＦS を選択し、選択した周波数ＦS における検波出力値の平均値をＶM 、第１近似曲線の傾きをＩ1 としたとき、ＶM −（Ｉ1 ×ＦS ）を計算して得られたもので、換算式（１）は１５６０．０５１３に、換算式（２）は１５７５．７１５に、換算式（３）は１５２４．４１６８にそれぞれ設定している。５番目の項は、検波出力値ＶDET（ｍＶ）を設定している。６番目の項は、第１乃至第３の周波数帯域のそれぞれで実測した送信用テレビジョン信号の周波数における送信出力レベル対検波出力値を表す第２近似曲線の傾き（ｍＶ／ＭＨｚ）を示すもので、換算式（１）は３９．３０９１に、換算式（２）は３９．３１４５に、換算式（３）は３８．４７にそれぞれ設定している。
【００２０】
図２は、本実施例のテレビジョン信号送信機において、送信用テレビジョン信号の周波数ＦSIGを変化させたときの送信用テレビジョン信号の検波出力値ＶDETの変化状態をそれぞれ実測したときのデータ値を用いて、周波数ＦSIG対検波出力値ＶDETの相関関係を示す第１近似直線を得ている経緯を表す特性図である。
【００２１】
図２において、横軸はＭＨｚで表した送信用テレビジョン信号の周波数ＦSIG、であり、縦軸はｍＶで表した送信用テレビジョン信号の検波出力値ＶDETであり、折線状の直線グラフは、第１乃至第３の周波数帯域における第１近似直線を表している。
【００２２】
このような折線状の第１近似直線を見れば、第１の周波数帯域（４７ＭＨｚ−１８０ＭＨｚ）、第２の周波数帯域（１８０ＭＨｚ−５４０ＭＨｚ）、第３の周波数帯域（５４０ＭＨｚ−８７０ＭＨｚ）毎に第１近似直線の傾きが異なっており、第１の周波数帯域における第１近似直線の傾きは、第１の換算式（１）の１番目の項に表されているように０．１５６４１（ｍＶ／ＭＨｚ）になり、第２の周波数帯域における第１近似直線の傾きは、第２の換算式（２）の１番目の項に表されているように０．０４８５７（ｍＶ／ＭＨｚ）になり、第３の周波数帯域における第１近似直線の傾きは、第３の換算式（３）の１番目の項に表されているように０．１４７４７（ｍＶ／ＭＨｚ）になる。
【００２３】
ここで、図１に図示された本実施例のテレビジョン信号送信機における送信出力レベルを表示するときの動作について説明する。
【００２４】
始めに、制御部８は、信号形成回路１及び信号送信回路２を制御して１つの周波数帯域、例えば第１の周波数帯域における１つの送信チャネルに該当する送信用テレビジョン信号を形成し、それと同時に検波出力補償回路６を制御して第１の周波数帯域に使用される第１の換算式（１）を選択する。このような選択が行なわれた後、信号形成回路１で形成されたテレビジョン信号を信号送信回路２で送信用テレビジョン信号に変換し、得られた送信用テレビジョン信号の一部分を分岐回路３で分岐し、分岐した送信用テレビジョン信号を検波回路で検波して検波出力値を発生させ、この検波出力値を検波出力補償回路６に供給して第１の換算式（１）により補償検波出力値としてレベル表示器７に供給し、送信出力レベルとして表示させる。
【００２５】
次に、制御部８は、検波出力補償回路６における第１の換算式（１）の選択を変えずに、信号形成回路１及び信号送信回路２を制御して第１の周波数帯域における他の１つの送信チャネルに該当する送信用テレビジョン信号を形成する。このような選択が行なわれた後、前述の場合と同様に、送信用テレビジョン信号の形成及び補償検波出力値の形成を行い、レベル表示器７で送信出力レベルを表示させる。
【００２６】
この後も、制御部８は、検波出力補償回路６における第１の換算式（１）の選択を変えずに、信号形成回路１及び信号送信回路２を制御して第１の周波数帯域における残りの１つの送信チャネルに該当する送信用テレビジョン信号を順次形成し、やはり前述の場合と同様に、送信用テレビジョン信号の形成及び補償検波出力値の形成を行い、レベル表示器７で送信出力レベルを表示させる。
【００２７】
そして、制御部８は、第１の周波数帯域における１つの送信チャネルに該当する送信用テレビジョン信号が全て形成され終わると、信号形成回路１及び信号送信回路２を制御して次の周波数帯域、例えば第２の周波数帯域における１つの送信チャネルに該当する送信用テレビジョン信号を形成し、それと同時に検波出力補償回路６を制御して第２の周波数帯域に使用される第２の換算式（２）を選択する。このような選択が行なわれた後、前述の場合と同様で、送信用テレビジョン信号の形成及び補償検波出力値の形成を行い、レベル表示器７で送信出力レベルを表示させる。
【００２８】
次に、制御部８は、同じように、検波出力補償回路６における第２の換算式（２）の選択を変えずに、信号形成回路１及び信号送信回路２を制御して第２の周波数帯域における他の１つの送信チャネルに該当する送信用テレビジョン信号を形成し、前述の場合と同様に、送信用テレビジョン信号の形成及び補償検波出力値の形成を行い、レベル表示器７で送信出力レベルを表示させる。
【００２９】
この後も、制御部８は、検波出力補償回路６における第２の換算式（２）の選択を変えずに、信号形成回路１及び信号送信回路２を制御して第２の周波数帯域における残りの１つの送信チャネルに該当する送信用テレビジョン信号を順次形成し、前述の場合と同様に、送信用テレビジョン信号の形成及び補償検波出力値の形成を行い、レベル表示器７で送信出力レベルを表示させる。
【００３０】
そして、制御部８は、第２の周波数帯域における１つの送信チャネルに該当する送信用テレビジョン信号が全て形成され終わると、信号形成回路１及び信号送信回路２を制御して次の周波数帯域、例えば第３の周波数帯域における１つの送信チャネルに該当する送信用テレビジョン信号を形成し、それと同時に検波出力補償回路６を制御して第３の周波数帯域に使用される第３の換算式（３）を選択する。このような選択が行なわれた後、前述の場合と同様で、送信用テレビジョン信号の形成及び補償検波出力値の形成を行い、レベル表示器７で送信出力レベルを表示させる。
【００３１】
この後も、前の場合と同様に、検波出力補償回路６における第３の換算式（３）の選択を変えずに、信号形成回路１及び信号送信回路２を制御して第３の周波数帯域における他の１つの送信チャネルに該当する送信用テレビジョン信号を順番に形成し、第３の周波数帯域における１つの送信チャネルに該当する送信用テレビジョン信号が全て形成されるまで順次実行される。このような送信用テレビジョン信号の形成が実行される度毎に、補償検波出力値を形成し、その補償検波出力値をレベル表示器７で送信出力レベルとして表示させる。
【００３２】
前記実施例においては、送信用テレビジョン信号における複数の周波数帯域として、第１乃至第３の周波数帯域を設定した例を挙げて説明したが、本発明による送信用テレビジョン信号の周波数帯域は、第１乃至第３の周波数帯域の設定に限られるでなく、第１乃至第２の周波数帯域の設定であってもよく、第１乃至第４の周波数帯域の設定であってもよい。ただし、第１乃至第２の周波数帯域の設定を行なった場合には、その設定に対応するように検波出力補償回路６に使用する換算式も第１と第２の２つの換算式が新たに設定され、設定された２つの換算式が選択的に使用されるようになる。同じように、第１乃至第４の周波数帯域の設定を行なった場合にも、その設定に対応するように検波出力補償回路６に使用する換算式も第１乃至第４の４つの換算式が新たに設定され、設定された４つの換算式が選択的に使用されるようになる。
【００３３】
また、前記実施例において使用される第１乃至第３の選択式の２番目の項、４番目の項及び６番目の項を設定している数値は、本発明のテレビジョン信号送信機に用いる際の固定的な数値を表すものでなく、使用される送信用テレビジョン信号の周波数範囲や、使用される周波数帯域の数、その他各種の使用条件の変更等によって、その数値に近接した他の数値に設定できることは勿論である。
【図面の簡単な説明】
【００３４】
【図１】本発明によるテレビジョン信号送信機の１つの実施例を示すもので、その要部構成を示すブロック図である。
【図２】本実施例のテレビジョン信号送信機において、送信用テレビジョン信号の周波数を変化させたときの送信用テレビジョン信号の検波出力値の変化状態をそれぞれ実測したときのデータ値を用いて、周波数対検波出力値の相関関係を示す第１近似直線を得ている経緯を表す特性図である。
【符号の説明】
【００３５】
１  信号形成回路
２  信号送信回路
３  分岐回路
４  信号出力端子
５  検波回路
６  検波出力補償回路
７  レベル表示器
８  制御部
【図１】
2005123963.tif 000003
【図２】
2005123963.tif 000004